(57)【要約】【課題】ティシュペーパーの取出し性に優れ、かつ香りが継続的に安定して発せられる香り付きティシュペーパー製品を提供する。【解決手段】  取出口を覆うスリット付きフィルムとは別に、香料透過樹脂層と香料非透過樹脂層との間に香料層を介在させた芳香フィルムが、前記香料透過樹脂層をティシュペーパーの束側に向けて、少なくとも収納箱を構成する箱体の上面の内側面を含む範囲に貼付されている、香り付きティシュペーパー製品により解決される。【選択図】図２
2015160641.tif 000002
【特許請求の範囲】
【請求項１】
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー製品であって、
前記スリット付きフィルムとは別に、香料透過樹脂層と香料非透過樹脂層との間に香料層を介在させた芳香フィルムが、前記香料透過樹脂層をティシュペーパーの束側に向けて、前記箱体の少なくとも上面の内側面を含む範囲に貼付されている、
ことを特徴とする香り付きティシュペーパー製品。
【請求項２】
芳香フィルムが、箱体の上面の内側面から長側面の内側面にかけて貼付されている、請求項１記載の香り付きティシュペーパー製品。
【請求項３】
芳香フィルムが、箱体の上面の内側面と長側面の内側面との間の境界谷線に対して接着されている、請求項２記載の香り付きティシュペーパー製品。
【請求項４】
香りの異なる複数の芳香フィルムが貼付されている請求項１〜３の何れか１項に記載の香り付きティシュペーパー製品。
【請求項５】
スリット付きフィルムと芳香フィルムとが、それらのフィルムの収納箱長手方向側の少なくとも一方の縁の位置が一致するようにして貼付されている、請求項１〜４の何れか１項に記載の香り付きティシュペーパー製品。
【請求項６】
カートンブランクに対して、スリット付きフィルムを開封用ミシン目線で囲まれる範囲内に前記スリットが位置するようにしてスリット付きフィルムを貼付するとともに、香料透過樹脂層と香料非透過樹脂層との間に香料層を介在させた芳香フィルムを貼付し、
その後にカートンブランクを組立て、ティシュペーパー束を収納する、ことを特徴とする香り付きティシュペーパー製品の製造方法。
【発明の詳細な説明】
【技術分野】
【０００１】
本発明は、香り付きのティシュペーパー製品及び香り付きティシュペーパー製品の製造方法に関する。
【背景技術】
【０００２】
スリット付きフィルムで上面開口部が覆われている収納箱内に複数のティシュペーパーからなる束が収納されており、前記スリットからその内部に収めた複数のティシュペーパーを順次一枚ずつ（一組とされたものも含む）引き出して使用するティシュペーパー製品は良く知られるところである。係る製品の中には、香り付きのものがある。
【０００３】
この香り付きの製品は、ティシュペーパー自体に香料を付着させたもののほか、上面開口部を覆うスリット付きフィルムの表裏面に香料を封入したマイクロカプセルを担持させて、ティシュペーパー取り出し時に、ティシュペーパーと摺れることによってマイクロカプセルを崩壊させて、香料を外部に放出させるようにしたものがある（下記特許文献１等）。
【０００４】
しかし、この製品は、ティシュペーパーとフィルムとが摺れる位置が、ティシュペーパーを使いきるまでさほど変化しないため、開封後の初期には香りが強く感じられるものの、使用するにつれて香りが急激に弱くなり、継続的に安定した香りの強さとすることが難しいという問題があった。
【０００５】
そこで、継続的に安定した香りの強さとすべく、上面開口部を覆うスリット付きフィルムを、香料の透過性のあるフィルム層間に、香料を接着剤等に混合して形成した香料層を介在させるなどした複数層構造のものとして、前記フィルム層を介して緩やかに香料が揮散されるようにしたものが提案されている。
【０００６】
しかしながら、ティシュペーパー製品における上面開口部を覆うスリット付きフィルムは、内部のティシュペーパーをスムーズに引き出せるとともに、その引き出されたティシュペーパーの一部をスリット縁部で保持して内部への落ち込みを防止するための、適度なコシが必要とされるところ、上記のように、スリット付きフィルムを複数層構造とした場合には、香料層に含まれる接着剤や、複数層とすることによる厚み増加等により、フィルムのコシが過度に高くなり、ティシュペーパーの取り出しがスムーズに行なわれずに破れるおそれが高まるという問題があった。
【０００７】
また、スリット付きフィルムが設けられる位置は、収納箱内の内側上面中央であり、またスリットがあるがために、香料層を含む複数層構造としても、香料層に含まれる香料のうち空気より軽い成分がスリットを介して外部に揮散しやすく、反対に空気より重い成分はスリット付きフィルムに対面する収納箱内のティシュペーパー束の中でも特に上方のティシュペーパーにのみ強く付与されやすい。したがって、収納箱内のティシュペーパー全体に適度な均一の香りが付与されないおそれがある。
【先行技術文献】
【特許文献】
【０００８】
【特許文献１】特開２０１０-１７９９４６号公報
【特許文献２】特開２００７-１８２２４８号公報
【特許文献３】特開２０１０-５２８１５号公報
【特許文献４】特開２００６-１９８５５６号公報
【発明の概要】
【発明が解決しようとする課題】
【０００９】
そこで、本発明の主たる課題は、特にティシュペーパーの取出し性に優れるとともに、使用開始から所望の香りが継続的に安定して感じられる香り付きティシュペーパー製品を提供することにある。
【課題を解決するための手段】
【００１０】
上記課題を解決した本発明及びその作用効果以下のとおりである。
【００１１】
〔請求項１記載の発明〕
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー製品であって、
前記スリット付きフィルムとは別に、香料透過樹脂層と香料非透過樹脂層との間に香料層を介在させた芳香フィルムが、前記香料透過樹脂層をティシュペーパーの束側に向けて、前記箱体の少なくとも上面の内側面を含む範囲に貼付されている、
ことを特徴とする香り付きティシュペーパー製品。
【００１２】
〔請求項２記載の発明〕
芳香フィルムが、箱体の上面の内側面から長側面の内側面にかけて貼付されている、請求項１記載の香り付きティシュペーパー製品。
【００１３】
〔請求項３記載の発明〕
芳香フィルムが、箱体の上面の内側面と長側面の内側面との間の境界谷線に対して接着されている、請求項２記載の香り付きティシュペーパー製品。
【００１４】
〔請求項４記載の発明〕
香りの異なる複数の芳香フィルムが貼付されている請求項１〜３の何れか１項に記載の香り付きティシュペーパー製品。
【００１５】
〔請求項５記載の発明〕
スリット付きフィルムと芳香フィルムとが、それらのフィルムの収納箱長手方向側の少なくとも一方の縁の位置が一致するようにして貼付されている、請求項１〜４の何れか１項に記載の香り付きティシュペーパー製品。
【００１６】
〔請求項６記載の発明〕
カートンブランクに対して、スリット付きフィルムを開封用ミシン目線で囲まれる範囲内に前記スリットが位置するようにしてスリット付きフィルムを貼付するとともに、香料透過樹脂層と香料非透過樹脂層との間に香料層を介在させた芳香フィルムを貼付し、
その後にカートブランクを組立て、ティシュペーパー束を収納する、ことを特徴とする香り付きティシュペーパー製品の製造方法。
【発明の効果】
【００１７】
以上の本発明によれば、ティシュペーパーの取出し性に優れるとともに、使用開始から所望の香りが継続的に安定して感じられる香り付きティシュペーパー製品が提供される。
【図面の簡単な説明】
【００１８】
【図１】本発明の実施形態のティシュペーパー製品の斜視図である。
【図２】本発明の実施形態のティシュペーパー製品の構造を説明するための斜視図である。
【図３】本発明の実施形態の収納箱の展開状態を箱内面側から見た図である。
【図４】本発明の実施形態のティシュペーパー製品の断面図である。
【図５】本発明の実施形態に係る香り付きフィルムの断面図である。
【図６】本発明の実施形態に係る香り付きティシュペーパー製品のフィルム貼付態様例を示す収納箱の展開図である。
【図７】本発明の実施形態に係る香り付きティシュペーパー製品の他のフィルム貼付態様例を示す収納箱の展開図である。
【図８】本発明の実施形態に係る香り付きティシュペーパー製品の別のフィルム貼付態様例を示す収納箱の展開図である。
【図９】本発明の実施形態に係る香り付きティシュペーパー製品のさらに別のフィルム貼付態様例を示す収納箱の展開図である。
【図１０】本発明の実施形態に係る香り付きフィルムの接着態様を示す図である。
【図１１】本発明の実施形態に係る香り付きフィルムの他の接着態様を示す図である。
【図１２】カートンブランクへのスリット付きフィルムの貼付態様を説明するための図である。
【図１３】本発明の実施形態に係るスリット付きフィルムと香り付きフィルムの貼付方法を説明するための図である。
【発明を実施するための形態】
【００１９】
本発明の実施形態を図１〜１３を参照して説明する。図１及び図２に示すように、本実施形態に係るティシュペーパー製品１００は、複数枚のティシュペーパー２ｔ，２ｔ…が、折り畳まれ積層されてなるティシュペーパー束２が、上面１１に形成された開封用ミシン目線２０を有する収納箱１に収納されており、前記開封用ミシン目線２０を切り裂いて形成される取出口２０Ｘからティシュペーパー２ｔを取り出して使用する。
【００２０】
図示の形態に係る収納箱１は、直六面体形状の製品外観をなすものであり、上面１１に取出口２０Ｘを形成するための開封用ミシン目線２０を有する箱体１０と、前記開封用ミシン目線２０により囲まれる範囲２０ａを箱体の上面の内側面側から覆うスリット付きフィルム３０とを有している。
【００２１】
箱体１０は、収納箱１の外郭をなすものであり、その大きさ、外観形状、展開形状等は既知の収納箱の箱体の構成が採用される。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。箱体は内面や外面に適宜の印刷が施されていても良い。
【００２２】
また、箱体１０の基材としては、バージンパルプ、古紙パルプ等の各種のパルプを主原料とする既知の紙素材や紙加工素材が採用できる。好適な箱体１０の素材は、坪量２５０〜５００ｇ／ｍ2のコートボール紙である。
【００２３】
図示の箱体１０の組立て構造は、図２及び図３から理解されるように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。但し、本発明の箱体１０は、この組立て構造に限定されるわけではない。
【００２４】
箱体１０の上面に形成される開封用ミシン目線２０は環状をなしており、そのカットタイ比は適宜の値とすることができる。開封用ミシン目線２０は、通常のミシン目線の他、二重ミシン目線、ジッパーミシン目線等で構成することができる。一部分のみ二重ミシン目線としてもよい。
【００２５】
本実施形態に係る開封用ミシン目線２０は、紙箱長手方向に延在する長辺とこの長辺の端同士を繋ぐ短手縁に平行な短辺を有し、その開封用ミシン目線２０に囲まれる範囲２０ａの形状が、収納箱１の長手方向に沿う方向が長い適宜の形状となっている。一般的には、収納箱１の長手方向に沿うやや細長い角取り矩形、或いはその矩形の長辺の中央部を外方に向かってやや膨張させてアーチ状とし、楕円に近い形状としたものである。図示の形態は前者の例である。
【００２６】
スリット付きフィルム３０は、前記開封用ミシン目線２０により囲まれる範囲２０ａより大きく、例えば、矩形や楕円形であり、箱体上面の内面側１１ｉにおいて、特に開封用ミシン目線２０の切り剥がしに影響がないように、開封用ミシン目線２０に囲まれる範囲２０ａの外側で接着剤によって貼付されている。スリット付きフィルム３０におけるスリット３１は、前記開封用ミシン目線２０により囲まれる範囲２０ａで長手方向に沿って位置されており、したがって、図１、図３に示すとおり、開封用ミシン目線２０に沿ってその開封用ミシン目線２０で囲まれる範囲２０ａの一部又は全部を切り剥がすことにより、紙箱上面１１に取出口２０Ｘが形成されるとともに、前記スリット付きフィルム３０及びスリット３１が取出口２０Ｘを介して露出される。そして、このスリット３１から一枚ずつティシュペーパー２ｔが引き出せるようになる。
【００２７】
ここで、本発明に係る香り付きティシュペーパー製品１００に係る収納箱１は、図１〜３及び図６〜９に示すように、特徴的に、スリット付きフィルム３０とは別に、芳香フィルム３２を有している。この芳香フィルム３２は、図５に示すように、香料透過樹脂層３２Ａと香料非透過樹脂層３２Ｂとの間に香料層３２Ｃを介在させた構造となっており、箱体１０に対しては、その香料透過樹脂層３２Ａをティシュペーパーの束２側に向けて、箱体１０の上面１１の内側面１１ｉを含む範囲に貼付されている。芳香フィルム３２を、香料の透過性のある香料透過樹脂層３２Ａと、香料の透過性がない或いは著しく低い香料非透過樹脂層３２Ｂとの間に香料を含む香料層３２Ｃを介在させたものとすることにより、香料層３２Ｃに含まれる香料が香料透過樹脂層３２Ａを介して徐々に揮散するようになり、香料を直接的にティシュペーパーや箱内面に付着させたりしたものと比較して、徐放性の効果が発揮されるようになっている。また、その芳香フィルム３２が、香料透過樹脂層３２Ａをティシュペーパーの束２側に向けて、箱体１０の内側面に貼付しているため、箱体１０が紙素材等、通気性のある素材で構成されていても、香料が外部に揮散し難くなっている。
【００２８】
また、本発明に係る香り付きティシュペーパー製品１００では、芳香フィルム３２を、ティシュペーパー２ｔを一枚ずつ引き出すためのスリット付きフィルム３０とは、別に設けているため、そのスリット付きフィルム３０を、ポリエチレンやポリプロピレンといった安価でかつ適当な厚みで柔軟性のある従来素材を使用することができ、スリット付きフィルム３０を香料層を有する複数構造のフィルムとする場合と比較して、ティシュペーパー或いは製品周囲への香気を付与する効果を得るために、ティシュペーパーの取出し性やフィルムの生産性、製造コストを犠牲にすることがない。さらに、スリット付きフィルム３０は、開封用ミシン目線２０で囲まれる範囲２０ａを被覆し、また、ティシュペーパー２ｔを破ることなく取り出せる長さのスリット３１を形成する必要があるため、ある程度の大きさが必要であるが、芳香フィルム３２は、香気を付与するという観点からは必ずしもこのような大きさである必要がない。スリット付きフィルム３０を香料層を有する複数層構造のものとすると、必要以上の大きさのフィルムを要することになりコスト高となるおそれがあるが、本発明のように別体の場合にはそのような問題が生じない。
【００２９】
このように、本発明に係る香り付きティシュペーパー製品１００は、スリット付きフィルム３０と芳香フィルム３２を別のものとすることにより、それぞれの効果が互いに拘泥されることなく自由に設計することができる。してみれば、芳香フィルム３２をスリット付きフィルム３０として使用が難しい厚さや大きさにすることができるようになるため、特に芳香フィルムの面積をスリット付きフィルムよりも小さくし、その小さくした分、香料層の厚さを増加させるといった設計が可能となる。本実施形態に係る図示例のティシュペーパー製品１００においても、芳香フィルム３２の面積がスリット付きフィルム３０の面積よりも小さく、また、芳香フィルム３２の厚さがスリット付きフィルム３０の厚さよりも厚いものとなっている。
【００３０】
芳香フィルム３２の貼付態様としては、特に、図２、３及び図６〜８に示す例のように、箱体１０の上面１１の内側面１１ｉから長側面１３の内側面１３ｉにかけて、これらの面１１ｉ，１３ｉの間の境界谷線７０を跨いで芳香フィルム３２が貼付するのが望ましい。このようにすると、図４に点線で示すように、香料層中に含まれる空気より重い成分が、収納箱１の長側面１３の内側面１３ｉに沿うようにして下方に移行するようになり、ティシュペーパー束２の特に折り返し縁が積層されて構成される面に、当該の重い成分が確実に接触することになる。その際には、ティシュペーパーの層間への香料の入り込みも期待できる。よって、ティシュペーパー束２を構成する各ティシュペーパーに対して、その重い成分に係る香気が付着されてティシュペーパー束２における上方部分と下方部分での香りの差が少ないものとなる。また、スリット３１から遠い位置に芳香フィルム３２が位置するので、香料中の空気より軽い成分についても、スリット３１を介して揮散しがたく、収納箱内に留まりやすい。
【００３１】
そして、このように芳香フィルム３２の貼付態様を箱体１０の上面１１の内側面１１ｉから長側面１３の内側面１３ｉにかけて、これらの面１１ｉ，１３ｉの間の境界谷線７０を跨いで貼付するのであれば、図１０及び図１１に示すように、芳香フィルム３２の周縁部に連続的又は間欠的に接着剤６０Ａを配置して、当該周縁部が箱体１０から剥がれないようにするとともに、前記境界谷線７０に対しても接着剤６０Ｂによって接着するようにするのが望ましい。芳香フィルム３２が境界谷線７０に対して接着されていない場合には、収納箱内中央方向に芳香フィルム３２が弛んでティシュペーパー束２に過度に接触して、ティシュペーパー２ｔの取出し時の抵抗を大きくしてしまうおそれがある。また、芳香フィルム３２の貼付は、カートンブランクの状態で行なうのが望ましいが、芳香フィルム３２が境界谷線７０に対して接着していないカートンブランクでは、カートンブランクを組み立てて筒型にした際に、芳香フィルム３２が波打ってしまい、その後のティシュペーパー束２の挿入不良が生ずるおそれがある。
【００３２】
芳香フィルムを接着するための接着剤は、スリット付きフィルムを接着するための接着剤と同様の既知のものが使用できる。
【００３３】
ここで、本実施形態に係る芳香フィルム３２の具体的な構成を説明すると、まず、香料透過樹脂層３０Ａは、ポリエチレンフィルム層、ポリプロピレンフィルム層が好適である。香料透過樹脂層３０Ａの厚みは、香料の徐放性の程度、コスト及び香料フィルムの生産性などの点から１０〜１００μｍ、特に１５〜６０μｍとするのが望ましい。
【００３４】
一方、香料非透過樹脂層３２Ｂとして好適な層は、ポリエチレンテレフタレートフィルム層、ポリ塩化ビニリデンフィルム層、株式会社クラレ社製のエバールなどのＥＶＯＨ樹脂フィルム層（エチレン−ビニルアルコール共重合体フィルム層）、ＥＶＯＨ樹脂にスチレン系エラストマーを配合した樹脂からなるフィルム層が挙げられ、特に、ポリエチレンテレフタレートフィルム層が安価であり望ましい。香料非透過樹脂層３２Ｂの厚さとしては、香料の十分な不透過性の確保、コスト及び香料フィルムの生産性などの点から１０〜  ５０μｍとするのが望ましい。
【００３５】
香料層３０Ｃは、香料を含有した薄膜の接着剤層や粘着剤層、香料を練り込んだ樹脂製フィルム層が例示できる。香料層３０Ｃを接着剤層等として形成する場合、例えば、天然ゴム系、天然ゴムラテックス系、アクリル系、ホットメルト系、ポリエステル系の粘着剤や接着剤を用いることができる。好ましくは、ポリエステル系接着剤、アクリル系粘着剤である。香料を練り込んだ樹脂製フィルムとする場合、基材樹脂は、スチレンブロックとジエンブロックを有するゴム質ブロック共重合体が望ましい。係るゴム質ブロック共重合体としては、スチレン-ブタジエン共重合体、スチレン-イソプレン共重合体、スチレン-ブタジエン-スチレン共重合体、スチレン-イソプレン-スチレン共重合体、スチレン-イソプレン-ブチレン-スチレン共重合体、スチレン-エチレン-プロピレン-スチレン共重合体、及びこれらの水素添加物が例示できる。
【００３６】
香料層中に含有させる香料としては、天然系あるいは合成系の既知の香料を用いることができる。特に本発明に係る香り付きティシュペーパー製品１００では、芳香フィルム３２の貼付位置が、空気よりも重い香料及び空気よりも軽い香料が含まれていると効果を特に発揮することから、これらの成分の双方が含有されているのがよい。香料の具体例としては、レモン油、グレープフルーツ油、ローズマリー油、ペパーミント油、マンダリン油、ライム油、ユズ油、カモミール油、ラベンダー油、ローズ油、スペアミント油等の天然香料；アルコール、ケトン、アルデヒド、リモネン、リナロール、シトロネロール、メントール、ゲラニオール等のテルペン類の合成香料などが挙げられる。
【００３７】
また、香料層３２Ａには、香料に加えて、ティシュペーパー２ｔのパルプ臭を消臭するための消臭剤や防カビ剤等の薬液を含有させてもよい。
【００３８】
香料層３２Ｃの厚みとしては、５〜８０μｍが望ましく、１５〜３５μｍが最も望ましい。また、香料の含有量は、０．５〜１５ｇ／ｍ2が望ましく、１〜６ｇ／ｍ2が最も望ましい。
【００３９】
他方、本実施形態に係る芳香フィルム３２は、香料透過樹脂層３２Ａ、香料非透過樹脂層３２Ｂ、香料層３２Ｃを、Ｔダイ法による共押出法、押し出しラミネート法、ドライラミネート法によって積層一体化して形成することができる。ここで、香料透過樹脂層３２Ａ、香料非透過樹脂層３２Ｂ、香料層３２Ｃは、必ずしも単層である必要はなく、その機能を阻害しない態様であれば複数層からなる層であってもよい。また、本実施形態に係る芳香フィルム３２は、各層を好適に接着するための層など適宜の層が介在されていてもよい。
【００４０】
ここで、環状の開封用ミシン目線２０ａの範囲がスリット付きフィルム３０で被覆されたティシュペーパー製品１００を製造するにあたっては、図１２に示すように、後にスリット付きフィルムとなるフィルムシートが巻かれた原反ロール３０ｘから、順次当該フィルムシート３０ｃを繰り出し、スリットカッター５２でスリットを形成し、ロール周面に幅方向に沿ってカッター刃５０Ａを設けた回転式カッター５０によって適切な長さにカットするとともに、回転式カッター５０に対面するバキューム機能を有するロール５１に移行して搬送し、順次送られてくる予め所定位置に糊が付与されたフィルム未貼付のカートンブランク１０ｘの当該所定位置に重ねて両者を貼り合せて、スリット付きフィルム３０が貼られたカートンブランク１０’を製造する。そして、このカートンブランク１０’を箱形に組立てティシュペーパー束２を挿入してフラップＦ，Ｆ…を封止することで製造される。
【００４１】
したがって、本発明に係る香り付きティシュペーパー製品１００の製造方法は、その生産性を落とすことなく、芳香フィルム３２を簡易かつ確実な位置に貼付することができるようにすべく、スリット付きフィルム３０をカートンブランク１０ｘに貼付する装置を用い、図１３に示すように（図１３中ではスリットカッターは図示しない）、帯状の連続芳香フィルム３２ｃを巻き取った原反ロール３２ｘから連続芳香フィルム３２ｃを繰出して、スリット付きフィルム３０となるフィルムシート３１ｃと幅方向位置が異なる位置で、スリット付きフィルムに係るフィルムシート３１ｃをカットする回転式カッター５０に供給し、上記スリット付きフィルムと同時にカットし、その後にスリット付きフィルムとともにバキューム機能付きのロール５１に移行して搬送して、同時にカートンブランク１０ｘに貼付するようにする。このようにすれば、特段、芳香フィルム３２を貼付するために要する時間や手間はないため、ティシュペーパー製品１００の生産性が低下するということがない。ここで、かかる製造方法により製造される香り付きティシュペーパー製品１００では、スリット付きフィルム３０に係るフィルムシート３０ｃと芳香フィルム３２に係る連続芳香フィルム３２ｃとが同時に回転式カッター５０でカットされるため、カートンブランク１０ｘに貼付した際には、図２及び図３に示す例や図６、図７に示す例の如く、スリット付きフィルム３０と芳香フィルム３２とが、それらのフィルムの収納箱長手方向側の少なくとも一方の縁の位置が一致するようにして貼付されるようになる（一致位置を図３，６，７中符号Ｐで表す）。
【００４２】
換言すればこのように、スリット付きフィルム３０と芳香フィルム３２とが、それらのフィルムの収納箱長手方向側の少なくとも一方の縁の位置が一致するようにして貼付されている構成のものは、上記製造ができるということであり、製造上のメリットを有する。
【００４３】
他方、本発明に係る香り付きティシュペーパー製品１００において、芳香フィルム３２は一枚に限らず、図６のように二枚以上貼付してもよい。この場合には、各芳香フィルムにおける香料種類やその構成が同一である必要はない。
【００４４】
以上説明してきた構成の収納箱１に収納されるティシュペーパー束２についても説明すると、この束２は、方形のティシュペーパー２ｔが実質的に二つ折りされ、その折り返し片の縁が上下に隣接するティシュペーパー２ｔの折り返し内面に位置するようにして、互い違いに重なり合いつつ積層されたものである。なお、ここで実質的にとは、製造上の形成される縁部の若干の折り返しを許容する意味である。
【００４５】
この積層構造のティシュペーパー束２は、最上位に位置する一枚の折り返し片を上方に引き上げると、その直下で隣接する他の一枚の折り返し片が、摩擦により上方に引きずられて持ち上げられる。そして、かかる構造のティシュペーパー束２は、その最上面が上述の上面１１に取出口２０Ｘを有する収納箱１の当該上面に向かいあって収納され、前記取出口２０Ｘ、特にスリット３１から最初の一組（最上面に位置する一組）が引き出されたときに、その直近下方に位置する他の一組の一部が露出される。なお、本発明におけるティシュペーパー２ｔの積層枚数が限定されないが、この種の製品の一般的な積層枚数を例示すれば、１２０〜２４０組である。
【００４６】
このティシュペーパー束２は、マルチスタンド式、ロータリー式の既知のインターフォルダにより製造することができる。
【００４７】
ティシュペーパー束２を構成するティシュペーパー２ｔは、２枚〜３枚の薄葉紙が積層されたプライ構造を有しているのが望ましい。
【００４８】
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００４９】
本発明に係るティシュペーパー２ｔの各プライを構成する薄葉紙１枚あたりの米坪は、好ましくは９〜２５ｇ／ｍ2、より好ましくは１０〜１５ｇ／ｍ2である。米坪が９ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００５０】
他方、本発明に係るティシュペーパーの紙厚は、２プライの状態で１００〜１６０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１６０μｍ超では、ティシュペーパーの肌触りが悪化するとともに、使用時にゴワツキ感が生じるようになる。
【００５１】
なお、紙厚、スリット付きフィルム、芳香フィルムの厚みについては、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて紙厚は製品の状態、つまり２プライの製品は２プライ、３プライの製品は３プライの状態で測定する。測定は、具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、紙厚、シート材、フィルム層に用いるフィルム厚みは測定を１０回行って得られる平均値とする。
【符号の説明】
【００５２】
１００…ティシュペーパー製品、２…ティシュペーパー束、２ｔ…ティシュペーパー、１１…収納箱（紙箱）上面、２０…開封用ミシン目線、１…収納箱、２０ａ…開封用ミシン目線で囲まれる範囲、２０Ｘ…取出口、３０…スリット付きフィルム、１０…箱体、１２…収納箱（紙箱）底面、１２Ａ…糊代部、１３…収納箱（紙箱）長側面、１４…収納箱（紙箱）短側面、Ｆ…フラップ、３１…スリット、３２…芳香フィルム、３２Ａ…香料透過層、３２Ｂ…香料非透過層、３２Ｃ…香料層、Ｌ１…収納箱の長手縁、Ｌ２…収納箱の短手縁、Ｌ３…収納箱の高さ、１１ｉ…収納箱（紙箱）上面の内側面、  １３ｉ…収納箱（紙箱）長手側面の内側面、７０…境界谷線、６０Ａ，６０Ｂ…接着剤、３０ｘ…原反ロール、３０ｃ…フィルムシート、５０Ａ…カッター刃、５０…回転式カッター、５１…バキューム機能を有するロール、１０ｘ，１０’…カートンブランク、３２ｘ…原反ロール、３２ｃ…連続芳香フィルム、Ｐ…芳香フィルムとスリット付きフィルムの一致位置。
【図１】
2015160641.tif 000003
【図２】
2015160641.tif 000004
【図３】
2015160641.tif 000005
【図４】
2015160641.tif 000006
【図５】
2015160641.tif 000007
【図６】
2015160641.tif 000008
【図７】
2015160641.tif 000009
【図８】
2015160641.tif 000010
【図９】
2015160641.tif 000011
【図１０】
2015160641.tif 000012
【図１１】
2015160641.tif 000013
【図１２】
2015160641.tif 000014
【図１３】
2015160641.tif 000015
【手続補正書】
【提出日】平成27年4月7日(2015.4.7)
【手続補正１】
【補正対象書類名】明細書
【補正対象項目名】全文
【補正方法】変更
【補正の内容】
【発明の詳細な説明】
【技術分野】
【０００１】
本発明は、香り付きのティシュペーパー製品及び香り付きティシュペーパー製品の製造方法に関する。
【背景技術】
【０００２】
スリット付きフィルムで上面開口部が覆われている収納箱内に複数のティシュペーパーからなる束が収納されており、前記スリットからその内部に収めた複数のティシュペーパーを順次一枚ずつ（一組とされたものも含む）引き出して使用するティシュペーパー製品は良く知られるところである。係る製品の中には、香り付きのものがある。
【０００３】
この香り付きの製品は、ティシュペーパー自体に香料を付着させたもののほか、上面開口部を覆うスリット付きフィルムの表裏面に香料を封入したマイクロカプセルを担持させて、ティシュペーパー取り出し時に、ティシュペーパーと摺れることによってマイクロカプセルを崩壊させて、香料を外部に放出させるようにしたものがある（下記特許文献１等）。
【０００４】
しかし、この製品は、ティシュペーパーとフィルムとが摺れる位置が、ティシュペーパーを使いきるまでさほど変化しないため、開封後の初期には香りが強く感じられるものの、使用するにつれて香りが急激に弱くなり、継続的に安定した香りの強さとすることが難しいという問題があった。
【０００５】
そこで、継続的に安定した香りの強さとすべく、上面開口部を覆うスリット付きフィルムを、香料の透過性のあるフィルム層間に、香料を接着剤等に混合して形成した香料層を介在させるなどした複数層構造のものとして、前記フィルム層を介して緩やかに香料が揮散されるようにしたものが提案されている。
【０００６】
しかしながら、ティシュペーパー製品における上面開口部を覆うスリット付きフィルムは、内部のティシュペーパーをスムーズに引き出せるとともに、その引き出されたティシュペーパーの一部をスリット縁部で保持して内部への落ち込みを防止するための、適度なコシが必要とされるところ、上記のように、スリット付きフィルムを複数層構造とした場合には、香料層に含まれる接着剤や、複数層とすることによる厚み増加等により、フィルムのコシが過度に高くなり、ティシュペーパーの取り出しがスムーズに行なわれずに破れるおそれが高まるという問題があった。
【０００７】
また、スリット付きフィルムが設けられる位置は、収納箱内の内側上面中央であり、またスリットがあるがために、香料層を含む複数層構造としても、香料層に含まれる香料のうち空気より軽い成分がスリットを介して外部に揮散しやすく、反対に空気より重い成分はスリット付きフィルムに対面する収納箱内のティシュペーパー束の中でも特に上方のティシュペーパーにのみ強く付与されやすい。したがって、収納箱内のティシュペーパー全体に適度な均一の香りが付与されないおそれがある。
【先行技術文献】
【特許文献】
【０００８】
【特許文献１】特開２０１０-１７９９４６号公報
【特許文献２】特開２００７-１８２２４８号公報
【特許文献３】特開２０１０-５２８１５号公報
【特許文献４】特開２００６-１９８５５６号公報
【発明の概要】
【発明が解決しようとする課題】
【０００９】
そこで、本発明の主たる課題は、特にティシュペーパーの取出し性に優れるとともに、使用開始から所望の香りが継続的に安定して感じられる香り付きティシュペーパー製品を提供することにある。
【課題を解決するための手段】
【００１０】
上記課題を解決した本発明及びその作用効果以下のとおりである。
【００１１】
〔請求項１記載の発明〕
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー製品であって、
前記スリット付きフィルムとは別に、香料透過樹脂層と香料非透過樹脂層との間に香料層を介在させた芳香フィルムが、前記香料透過樹脂層をティシュペーパーの束側に向けて、前記箱体の少なくとも上面の内側面を含む範囲に貼付されている、
ことを特徴とする香り付きティシュペーパー製品。
【００１２】
〔請求項２記載の発明〕
芳香フィルムが、箱体の上面の内側面から長側面の内側面にかけて貼付されている、請求項１記載の香り付きティシュペーパー製品。
【００１３】
〔請求項３記載の発明〕
芳香フィルムが、箱体の上面の内側面と長側面の内側面との間の境界谷線に対して接着されている、請求項２記載の香り付きティシュペーパー製品。
【００１４】
〔請求項４記載の発明〕
香りの異なる複数の芳香フィルムが貼付されている請求項１〜３の何れか１項に記載の香り付きティシュペーパー製品。
【００１５】
〔請求項５記載の発明〕
スリット付きフィルムと芳香フィルムとが、それらのフィルムの収納箱長手方向側の少なくとも一方の縁の位置が一致するようにして貼付されている、請求項１〜４の何れか１項に記載の香り付きティシュペーパー製品。
【００１６】
〔請求項６記載の発明〕
カートンブランクに対して、スリット付きフィルムを開封用ミシン目線で囲まれる範囲内に前記スリットが位置するようにしてスリット付きフィルムを貼付するとともに、香料透過樹脂層と香料非透過樹脂層との間に香料層を介在させた芳香フィルムを貼付し、
その後にカートブランクを組立て、ティシュペーパー束を収納する、ことを特徴とする香り付きティシュペーパー製品の製造方法。
【発明の効果】
【００１７】
以上の本発明によれば、ティシュペーパーの取出し性に優れるとともに、使用開始から所望の香りが継続的に安定して感じられる香り付きティシュペーパー製品が提供される。
【図面の簡単な説明】
【００１８】
【図１】本発明の実施形態のティシュペーパー製品の斜視図である。
【図２】本発明の実施形態のティシュペーパー製品の構造を説明するための斜視図である。
【図３】本発明の実施形態の収納箱の展開状態を箱内面側から見た図である。
【図４】本発明の実施形態のティシュペーパー製品の断面図である。
【図５】本発明の実施形態に係る香り付きフィルムの断面図である。
【図６】本発明の実施形態に係る香り付きティシュペーパー製品のフィルム貼付態様例を示す収納箱の展開図である。
【図７】本発明の実施形態に係る香り付きティシュペーパー製品の他のフィルム貼付態様例を示す収納箱の展開図である。
【図８】本発明の実施形態に係る香り付きティシュペーパー製品の別のフィルム貼付態様例を示す収納箱の展開図である。
【図９】本発明の実施形態に係る香り付きティシュペーパー製品のさらに別のフィルム貼付態様例を示す収納箱の展開図である。
【図１０】本発明の実施形態に係る香り付きフィルムの接着態様を示す図である。
【図１１】本発明の実施形態に係る香り付きフィルムの他の接着態様を示す図である。
【図１２】カートンブランクへのスリット付きフィルムの貼付態様を説明するための図である。
【図１３】本発明の実施形態に係るスリット付きフィルムと香り付きフィルムの貼付方法を説明するための図である。
【発明を実施するための形態】
【００１９】
本発明の実施形態を図１〜１３を参照して説明する。図１及び図２に示すように、本実施形態に係るティシュペーパー製品１００は、複数枚のティシュペーパー２ｔ，２ｔ…が、折り畳まれ積層されてなるティシュペーパー束２が、上面１１に形成された開封用ミシン目線２０を有する収納箱１に収納されており、前記開封用ミシン目線２０を切り裂いて形成される取出口２０Ｘからティシュペーパー２ｔを取り出して使用する。
【００２０】
図示の形態に係る収納箱１は、直六面体形状の製品外観をなすものであり、上面１１に取出口２０Ｘを形成するための開封用ミシン目線２０を有する箱体１０と、前記開封用ミシン目線２０により囲まれる範囲２０ａを箱体の上面の内側面側から覆うスリット付きフィルム３０とを有している。
【００２１】
箱体１０は、収納箱１の外郭をなすものであり、その大きさ、外観形状、展開形状等は既知の収納箱の箱体の構成が採用される。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。箱体は内面や外面に適宜の印刷が施されていても良い。
【００２２】
また、箱体１０の基材としては、バージンパルプ、古紙パルプ等の各種のパルプを主原料とする既知の紙素材や紙加工素材が採用できる。好適な箱体１０の素材は、坪量２５０〜５００ｇ／ｍ2のコートボール紙である。
【００２３】
図示の箱体１０の組立て構造は、図２及び図３から理解されるように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。但し、本発明の箱体１０は、この組立て構造に限定されるわけではない。
【００２４】
箱体１０の上面に形成される開封用ミシン目線２０は環状をなしており、そのカットタイ比は適宜の値とすることができる。開封用ミシン目線２０は、通常のミシン目線の他、二重ミシン目線、ジッパーミシン目線等で構成することができる。一部分のみ二重ミシン目線としてもよい。
【００２５】
本実施形態に係る開封用ミシン目線２０は、紙箱長手方向に延在する長辺とこの長辺の端同士を繋ぐ短手縁に平行な短辺を有し、その開封用ミシン目線２０に囲まれる範囲２０ａの形状が、収納箱１の長手方向に沿う方向が長い適宜の形状となっている。一般的には、収納箱１の長手方向に沿うやや細長い角取り矩形、或いはその矩形の長辺の中央部を外方に向かってやや膨張させてアーチ状とし、楕円に近い形状としたものである。図示の形態は前者の例である。
【００２６】
スリット付きフィルム３０は、前記開封用ミシン目線２０により囲まれる範囲２０ａより大きく、例えば、矩形や楕円形であり、箱体上面の内面側１１ｉにおいて、特に開封用ミシン目線２０の切り剥がしに影響がないように、開封用ミシン目線２０に囲まれる範囲２０ａの外側で接着剤によって貼付されている。スリット付きフィルム３０におけるスリット３１は、前記開封用ミシン目線２０により囲まれる範囲２０ａで長手方向に沿って位置されており、したがって、図１、図３に示すとおり、開封用ミシン目線２０に沿ってその開封用ミシン目線２０で囲まれる範囲２０ａの一部又は全部を切り剥がすことにより、紙箱上面１１に取出口２０Ｘが形成されるとともに、前記スリット付きフィルム３０及びスリット３１が取出口２０Ｘを介して露出される。そして、このスリット３１から一枚ずつティシュペーパー２ｔが引き出せるようになる。
【００２７】
ここで、本発明に係る香り付きティシュペーパー製品１００に係る収納箱１は、図１〜３及び図６〜９に示すように、特徴的に、スリット付きフィルム３０とは別に、芳香フィルム３２を有している。この芳香フィルム３２は、図５に示すように、香料透過樹脂層３２Ａと香料非透過樹脂層３２Ｂとの間に香料層３２Ｃを介在させた構造となっており、箱体１０に対しては、その香料透過樹脂層３２Ａをティシュペーパーの束２側に向けて、箱体１０の上面１１の内側面１１ｉを含む範囲に貼付されている。芳香フィルム３２を、香料の透過性のある香料透過樹脂層３２Ａと、香料の透過性がない或いは著しく低い香料非透過樹脂層３２Ｂとの間に香料を含む香料層３２Ｃを介在させたものとすることにより、香料層３２Ｃに含まれる香料が香料透過樹脂層３２Ａを介して徐々に揮散するようになり、香料を直接的にティシュペーパーや箱内面に付着させたりしたものと比較して、徐放性の効果が発揮されるようになっている。また、その芳香フィルム３２が、香料透過樹脂層３２Ａをティシュペーパーの束２側に向けて、箱体１０の内側面に貼付しているため、箱体１０が紙素材等、通気性のある素材で構成されていても、香料が外部に揮散し難くなっている。
【００２８】
また、本発明に係る香り付きティシュペーパー製品１００では、芳香フィルム３２を、ティシュペーパー２ｔを一枚ずつ引き出すためのスリット付きフィルム３０とは、別に設けているため、そのスリット付きフィルム３０を、ポリエチレンやポリプロピレンといった安価でかつ適当な厚みで柔軟性のある従来素材を使用することができ、スリット付きフィルム３０を香料層を有する複数構造のフィルムとする場合と比較して、ティシュペーパー或いは製品周囲への香気を付与する効果を得るために、ティシュペーパーの取出し性やフィルムの生産性、製造コストを犠牲にすることがない。さらに、スリット付きフィルム３０は、開封用ミシン目線２０で囲まれる範囲２０ａを被覆し、また、ティシュペーパー２ｔを破ることなく取り出せる長さのスリット３１を形成する必要があるため、ある程度の大きさが必要であるが、芳香フィルム３２は、香気を付与するという観点からは必ずしもこのような大きさである必要がない。スリット付きフィルム３０を香料層を有する複数層構造のものとすると、必要以上の大きさのフィルムを要することになりコスト高となるおそれがあるが、本発明のように別体の場合にはそのような問題が生じない。
【００２９】
このように、本発明に係る香り付きティシュペーパー製品１００は、スリット付きフィルム３０と芳香フィルム３２を別のものとすることにより、それぞれの効果が互いに拘泥されることなく自由に設計することができる。してみれば、芳香フィルム３２をスリット付きフィルム３０として使用が難しい厚さや大きさにすることができるようになるため、特に芳香フィルムの面積をスリット付きフィルムよりも小さくし、その小さくした分、香料層の厚さを増加させるといった設計が可能となる。本実施形態に係る図示例のティシュペーパー製品１００においても、芳香フィルム３２の面積がスリット付きフィルム３０の面積よりも小さく、また、芳香フィルム３２の厚さがスリット付きフィルム３０の厚さよりも厚いものとなっている。
【００３０】
芳香フィルム３２の貼付態様としては、特に、図２、３及び図６〜８に示す例のように、箱体１０の上面１１の内側面１１ｉから長側面１３の内側面１３ｉにかけて、これらの面１１ｉ，１３ｉの間の境界谷線７０を跨いで芳香フィルム３２が貼付するのが望ましい。このようにすると、図４に点線で示すように、香料層中に含まれる空気より重い成分が、収納箱１の長側面１３の内側面１３ｉに沿うようにして下方に移行するようになり、ティシュペーパー束２の特に折り返し縁が積層されて構成される面に、当該の重い成分が確実に接触することになる。その際には、ティシュペーパーの層間への香料の入り込みも期待できる。よって、ティシュペーパー束２を構成する各ティシュペーパーに対して、その重い成分に係る香気が付着されてティシュペーパー束２における上方部分と下方部分での香りの差が少ないものとなる。また、スリット３１から遠い位置に芳香フィルム３２が位置するので、香料中の空気より軽い成分についても、スリット３１を介して揮散しがたく、収納箱内に留まりやすい。
【００３１】
そして、このように芳香フィルム３２の貼付態様を箱体１０の上面１１の内側面１１ｉから長側面１３の内側面１３ｉにかけて、これらの面１１ｉ，１３ｉの間の境界谷線７０を跨いで貼付するのであれば、図１０及び図１１に示すように、芳香フィルム３２の周縁部に連続的又は間欠的に接着剤６０Ａを配置して、当該周縁部が箱体１０から剥がれないようにするとともに、前記境界谷線７０に対しても接着剤６０Ｂによって接着するようにするのが望ましい。芳香フィルム３２が境界谷線７０に対して接着されていない場合には、収納箱内中央方向に芳香フィルム３２が弛んでティシュペーパー束２に過度に接触して、ティシュペーパー２ｔの取出し時の抵抗を大きくしてしまうおそれがある。また、芳香フィルム３２の貼付は、カートンブランクの状態で行なうのが望ましいが、芳香フィルム３２が境界谷線７０に対して接着していないカートンブランクでは、カートンブランクを組み立てて筒型にした際に、芳香フィルム３２が波打ってしまい、その後のティシュペーパー束２の挿入不良が生ずるおそれがある。
【００３２】
芳香フィルムを接着するための接着剤は、スリット付きフィルムを接着するための接着剤と同様の既知のものが使用できる。
【００３３】
ここで、本実施形態に係る芳香フィルム３２の具体的な構成を説明すると、まず、香料透過樹脂層３０Ａは、ポリエチレンフィルム層、ポリプロピレンフィルム層が好適である。香料透過樹脂層３０Ａの厚みは、香料の徐放性の程度、コスト及び香料フィルムの生産性などの点から１０〜１００μｍ、特に１５〜６０μｍとするのが望ましい。
【００３４】
一方、香料非透過樹脂層３２Ｂとして好適な層は、ポリエチレンテレフタレートフィルム層、ポリ塩化ビニリデンフィルム層、株式会社クラレ社製のエバールなどのＥＶＯＨ樹脂フィルム層（エチレン−ビニルアルコール共重合体フィルム層）、ＥＶＯＨ樹脂にスチレン系エラストマーを配合した樹脂からなるフィルム層が挙げられ、特に、ポリエチレンテレフタレートフィルム層が安価であり望ましい。香料非透過樹脂層３２Ｂの厚さとしては、香料の十分な不透過性の確保、コスト及び香料フィルムの生産性などの点から１０〜５０μｍとするのが望ましい。
【００３５】
香料層３０Ｃは、香料を含有した薄膜の接着剤層や粘着剤層、香料を練り込んだ樹脂製フィルム層が例示できる。香料層３０Ｃを接着剤層等として形成する場合、例えば、天然ゴム系、天然ゴムラテックス系、アクリル系、ホットメルト系、ポリエステル系の粘着剤や接着剤を用いることができる。好ましくは、ポリエステル系接着剤、アクリル系粘着剤である。香料を練り込んだ樹脂製フィルムとする場合、基材樹脂は、スチレンブロックとジエンブロックを有するゴム質ブロック共重合体が望ましい。係るゴム質ブロック共重合体としては、スチレン-ブタジエン共重合体、スチレン-イソプレン共重合体、スチレン-ブタジエン-スチレン共重合体、スチレン-イソプレン-スチレン共重合体、スチレン-イソプレン-ブチレン-スチレン共重合体、スチレン-エチレン-プロピレン-スチレン共重合体、及びこれらの水素添加物が例示できる。
【００３６】
香料層中に含有させる香料としては、天然系あるいは合成系の既知の香料を用いることができる。特に本発明に係る香り付きティシュペーパー製品１００では、芳香フィルム３２の貼付位置が、空気よりも重い香料及び空気よりも軽い香料が含まれていると効果を特に発揮することから、これらの成分の双方が含有されているのがよい。香料の具体例としては、レモン油、グレープフルーツ油、ローズマリー油、ペパーミント油、マンダリン油、ライム油、ユズ油、カモミール油、ラベンダー油、ローズ油、スペアミント油等の天然香料；アルコール、ケトン、アルデヒド、リモネン、リナロール、シトロネロール、メントール、ゲラニオール等のテルペン類の合成香料などが挙げられる。
【００３７】
また、香料層３２Ａには、香料に加えて、ティシュペーパー２ｔのパルプ臭を消臭するための消臭剤や防カビ剤等の薬液を含有させてもよい。
【００３８】
香料層３２Ｃの厚みとしては、５〜８０μｍが望ましく、１５〜３５μｍが最も望ましい。また、香料の含有量は、０．５〜１５ｇ／ｍ2が望ましく、１〜６ｇ／ｍ2が最も望ましい。
【００３９】
他方、本実施形態に係る芳香フィルム３２は、香料透過樹脂層３２Ａ、香料非透過樹脂層３２Ｂ、香料層３２Ｃを、Ｔダイ法による共押出法、押し出しラミネート法、ドライラミネート法によって積層一体化して形成することができる。ここで、香料透過樹脂層３２Ａ、香料非透過樹脂層３２Ｂ、香料層３２Ｃは、必ずしも単層である必要はなく、その機能を阻害しない態様であれば複数層からなる層であってもよい。また、本実施形態に係る芳香フィルム３２は、各層を好適に接着するための層など適宜の層が介在されていてもよい。
【００４０】
ここで、環状の開封用ミシン目線２０ａの範囲がスリット付きフィルム３０で被覆されたティシュペーパー製品１００を製造するにあたっては、図１２に示すように、後にスリット付きフィルムとなるフィルムシートが巻かれた原反ロール３０ｘから、順次当該フィルムシート３０ｃを繰り出し、スリットカッター５２でスリットを形成し、ロール周面に幅方向に沿ってカッター刃５０Ａを設けた回転式カッター５０によって適切な長さにカットするとともに、回転式カッター５０に対面するバキューム機能を有するロール５１に移行して搬送し、順次送られてくる予め所定位置に糊が付与されたフィルム未貼付のカートンブランク１０ｘの当該所定位置に重ねて両者を貼り合せて、スリット付きフィルム３０が貼られたカートンブランク１０’を製造する。そして、このカートンブランク１０’を箱形に組立てティシュペーパー束２を挿入してフラップＦ，Ｆ…を封止することで製造される。
【００４１】
したがって、本発明に係る香り付きティシュペーパー製品１００の製造方法は、その生産性を落とすことなく、芳香フィルム３２を簡易かつ確実な位置に貼付することができるようにすべく、スリット付きフィルム３０をカートンブランク１０ｘに貼付する装置を用い、図１３に示すように（図１３中ではスリットカッターは図示しない）、帯状の連続芳香フィルム３２ｃを巻き取った原反ロール３２ｘから連続芳香フィルム３２ｃを繰出して、スリット付きフィルム３０となるフィルムシート３１ｃと幅方向位置が異なる位置で、スリット付きフィルムに係るフィルムシート３１ｃをカットする回転式カッター５０に供給し、上記スリット付きフィルムと同時にカットし、その後にスリット付きフィルムとともにバキューム機能付きのロール５１に移行して搬送して、同時にカートンブランク１０ｘに貼付するようにする。このようにすれば、特段、芳香フィルム３２を貼付するために要する時間や手間はないため、ティシュペーパー製品１００の生産性が低下するということがない。ここで、かかる製造方法により製造される香り付きティシュペーパー製品１００では、スリット付きフィルム３０に係るフィルムシート３０ｃと芳香フィルム３２に係る連続芳香フィルム３２ｃとが同時に回転式カッター５０でカットされるため、カートンブランク１０ｘに貼付した際には、図２及び図３に示す例や図６、図７に示す例の如く、スリット付きフィルム３０と芳香フィルム３２とが、それらのフィルムの収納箱長手方向側の少なくとも一方の縁の位置が一致するようにして貼付されるようになる（一致位置を図３，６，７中符号Ｐで表す）。
【００４２】
換言すればこのように、スリット付きフィルム３０と芳香フィルム３２とが、それらのフィルムの収納箱長手方向側の少なくとも一方の縁の位置が一致するようにして貼付されている構成のものは、上記製造ができるということであり、製造上のメリットを有する。
【００４３】
他方、本発明に係る香り付きティシュペーパー製品１００において、芳香フィルム３２は一枚に限らず、図６のように二枚以上貼付してもよい。この場合には、各芳香フィルムにおける香料種類やその構成が同一である必要はない。
【００４４】
以上説明してきた構成の収納箱１に収納されるティシュペーパー束２についても説明すると、この束２は、方形のティシュペーパー２ｔが実質的に二つ折りされ、その折り返し片の縁が上下に隣接するティシュペーパー２ｔの折り返し内面に位置するようにして、互い違いに重なり合いつつ積層されたものである。なお、ここで実質的にとは、製造上の形成される縁部の若干の折り返しを許容する意味である。
【００４５】
この積層構造のティシュペーパー束２は、最上位に位置する一枚の折り返し片を上方に引き上げると、その直下で隣接する他の一枚の折り返し片が、摩擦により上方に引きずられて持ち上げられる。そして、かかる構造のティシュペーパー束２は、その最上面が上述の上面１１に取出口２０Ｘを有する収納箱１の当該上面に向かいあって収納され、前記取出口２０Ｘ、特にスリット３１から最初の一組（最上面に位置する一組）が引き出されたときに、その直近下方に位置する他の一組の一部が露出される。なお、本発明におけるティシュペーパー２ｔの積層枚数が限定されないが、この種の製品の一般的な積層枚数を例示すれば、１２０〜２４０組である。
【００４６】
このティシュペーパー束２は、マルチスタンド式、ロータリー式の既知のインターフォルダにより製造することができる。
【００４７】
ティシュペーパー束２を構成するティシュペーパー２ｔは、２枚〜３枚の薄葉紙が積層されたプライ構造を有しているのが望ましい。
【００４８】
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００４９】
本発明に係るティシュペーパー２ｔの各プライを構成する薄葉紙１枚あたりの米坪は、好ましくは９〜２５ｇ／ｍ2、より好ましくは１０〜１５ｇ／ｍ2である。米坪が９ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００５０】
他方、本発明に係るティシュペーパーの紙厚は、２プライの状態で１００〜１６０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１６０μｍ超では、ティシュペーパーの肌触りが悪化するとともに、使用時にゴワツキ感が生じるようになる。
【００５１】
なお、紙厚、スリット付きフィルム、芳香フィルムの厚みについては、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて紙厚は製品の状態、つまり２プライの製品は２プライ、３プライの製品は３プライの状態で測定する。測定は、具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、紙厚、シート材、フィルム層に用いるフィルム厚みは測定を１０回行って得られる平均値とする。
【符号の説明】
【００５２】
１００…ティシュペーパー製品、２…ティシュペーパー束、２ｔ…ティシュペーパー、１１…収納箱（紙箱）上面、２０…開封用ミシン目線、１…収納箱、２０ａ…開封用ミシン目線で囲まれる範囲、２０Ｘ…取出口、３０…スリット付きフィルム、１０…箱体、１２…収納箱（紙箱）底面、１２Ａ…糊代部、１３…収納箱（紙箱）長側面、１４…収納箱（紙箱）短側面、Ｆ…フラップ、３１…スリット、３２…芳香フィルム、３２Ａ…香料透過層、３２Ｂ…香料非透過層、３２Ｃ…香料層、Ｌ１…収納箱の長手縁、Ｌ２…収納箱の短手縁、Ｌ３…収納箱の高さ、１１ｉ…収納箱（紙箱）上面の内側面、  １３ｉ…収納箱（紙箱）長手側面の内側面、７０…境界谷線、６０Ａ，６０Ｂ…接着剤、３０ｘ…原反ロール、３０ｃ…フィルムシート、５０Ａ…カッター刃、５０…回転式カッター、５１…バキューム機能を有するロール、１０ｘ，１０’…カートンブランク、３２ｘ…原反ロール、３２ｃ…連続芳香フィルム、Ｐ…芳香フィルムとスリット付きフィルムの一致位置。